(57)【要約】【課題】  フィット感が良好で、疲労軽減又は疲労回復し、足の浮腫みを抑制できる靴下を提供する。【解決手段】  足底から足挿入開口を形成する上端部にかけて、足・脚に対する締付圧力が強から弱に変化させて形成してある靴下であって、最も下方に位置する第１箇所における締付圧力を２０ｈＰa〜３０ｈＰａとし、最も上方に位置する第４箇所における締付圧力を１１ｈＰａ〜１８ｈＰａとするとともに、これら第１箇所と第４箇所との間の第１箇所側に位置する第２箇所と第４箇所側に位置する第３箇所とにおいて、第２箇所における締付圧力を第１箇所における締付圧力よりも弱い１５ｈＰａ〜２３ｈＰａ、第３箇所における締付圧力を第２箇所における締付圧力よりも弱い１３ｈＰａ〜１９ｈＰａとなるように設定して形成する。【選択図】        図１
2005240222.tif 000002
【特許請求の範囲】
【請求項１】
足底から足挿入開口を形成する上端部にかけて、足・脚に対する締付圧力が強から弱に変化させて形成してある靴下であって、
最も下方に位置する第１箇所における締付圧力を２０ｈＰa〜３０ｈＰａとし、最も上方に位置する第４箇所における締付圧力を１１ｈＰａ〜１８ｈＰａとするとともに、
これら第１箇所と第４箇所との間の第１箇所側に位置する第２箇所と第４箇所側に位置する第３箇所とにおいて、第２箇所における締付圧力を第１箇所における締付圧力よりも弱い１５ｈＰａ〜２３ｈＰａ、第３箇所における締付圧力を第２箇所における締付圧力よりも弱い１３ｈＰａ〜１９ｈＰａとなるように設定して形成してある靴下。
【請求項２】
前記第１箇所における締付圧力を２４ｈＰａ〜２６ｈＰａ、好ましくは２５ｈＰａに、前記第２箇所における締付圧力を１８ｈＰａ〜２１ｈＰａ、好ましくは１９ｈＰａに、前記第３箇所における締付圧力を１５ｈＰａ〜１７ｈＰａ、好ましくは１６ｈＰａに、前記第４箇所における締付圧力を１４ｈＰａ〜１６ｈＰａ、好ましくは１５ｈＰａとなるように設定して形成してある請求項１記載の靴下。
【請求項３】
前記第１箇所が、靴下の土踏まず部から足首部に亘る範囲の位置である請求項１又は２記載の靴下。
【発明の詳細な説明】
【技術分野】
【０００１】
本発明は、足底から足挿入開口を形成する上端部にかけて、足・脚に対する締付圧力を強から弱に変化させて形成してある靴下に関する。
【背景技術】
【０００２】
従来のこのような靴下の一例として、脚の脹脛に達する長さの靴下において、脹脛部から足首部にかけて連続的に締付圧力を増強するとともに、土踏まず部においてもその締付圧力を強くして、足の浮腫みの抑制や足・脚にかかる疲労の回復又は軽減を促進するものがあった（例えば、特許文献１参照。）。
また、他の従来例として、脚の脹脛に達する長さの靴下において、脹脛部から足首部にかけて弱圧、中圧、強圧、最強圧との４段階に締付圧力を増強するとともに、足首部を最強圧の締付圧力に設定し、土踏まず部と脹脛下部を足首部よりやや弱い強圧の締付圧力に設定して形成したものもあった（例えば、特許文献２参照。）。
【０００３】
【特許文献１】特開２００２−２６６１０５公報
【０００４】
【特許文献２】特開平１０−３１０９０３号公報
【発明の開示】
【発明が解決しようとする課題】
【０００５】
しかし、このような靴下においては、その締付圧力の数値によっては、足の浮腫み抑制や足・脚における疲労の回復又は疲労の軽減等を促進する効果がなく、逆に足の浮腫みを促進したり、足・脚における疲労を蓄積したりする恐れがあった。
この実情に鑑み、本発明の主たる課題は、靴下における足・脚に対する締付圧力を適切な数値に限定することにより上記問題を効果的に解消する点にある。
【発明の効果】
【０００６】
本発明の第１特徴構成は、靴下に係り、その特徴は、
足底から足挿入開口を形成する上端部にかけて、足・脚に対する締付圧力が強から弱に変化させて形成してある靴下であって、
最も下方に位置する第１箇所における締付圧力を２０ｈＰa〜３０ｈＰａとし、最も上方に位置する第４箇所における締付圧力を１１ｈＰａ〜１８ｈＰａとするとともに、
これら第１箇所と第４箇所との間の第１箇所側に位置する第２箇所と第４箇所側に位置する第３箇所とにおいて、第２箇所における締付圧力を第１箇所における締付圧力よりも弱い１５ｈＰａ〜２３ｈＰａ、第３箇所における締付圧力を第２箇所における締付圧力よりも弱い１３ｈＰａ〜１９ｈＰａとなるように設定して形成してある点にある。
【０００７】
足底から足挿入開口を形成する上端部にかけて、足・脚に対する締付圧力を強から弱に変更してある靴下において、第１箇所から第４箇所までの各箇所における締付圧力の設定が異なる靴下を使ってモニタリング調査を行ったところ、その結果、第１箇所における締付圧力を２０ｈＰa〜３０ｈＰａ、第２箇所における締付圧力を１５ｈＰａ〜２３ｈＰａ、第３箇所における締付圧力を１３ｈＰａ〜１９ｈＰａ、第４箇所における締付圧力を１１ｈＰａ〜１８ｈＰａとなるように設定して形成した構成の靴下に関して、多数の回答者から、「フィット感が強すぎず、弱すぎず良好で、疲労回復感又は疲労軽減感を感じ、足の浮腫みも軽減された」との回答を得ることができた。
つまり、この構成であれば、フィット感、疲労回復又は疲労軽減、及び、足の浮腫み抑制において、良好な靴下にすることができる。
【０００８】
本発明の第２特徴構成は、第１特徴構成の実施において好適な構成であり、その特徴は、
前記第１箇所における締付圧力を２４ｈＰａ〜２６ｈＰａ、好ましくは２５ｈＰａに、前記第２箇所における締付圧力を１８ｈＰａ〜２１ｈＰａ、好ましくは１９ｈＰａに、前記第３箇所における締付圧力を１５ｈＰａ〜１７ｈＰａ、好ましくは１６ｈＰａに、前記第４箇所における締付圧力を１４ｈＰａ〜１６ｈＰａ、好ましくは１５ｈＰａとなるように設定して形成してある点にある。
【０００９】
足底から足挿入開口を形成する上端部にかけて、足・脚に対する締付圧力を強から弱に段階的に変更してある靴下において、第１箇所から第４箇所までの各箇所における締付圧力の設定が異なる靴下を使ってモニタリング調査を行ったところ、その結果、第１箇所における締付圧力を２４ｈＰa〜２６ｈＰａ、第２箇所における締付圧力を１８ｈＰａ〜２１ｈＰａ、第３箇所における締付圧力を１５ｈＰａ〜１７ｈＰａ、第４箇所における締付圧力を１４ｈＰａ〜１６ｈＰａに設定した構成の靴下に関して、多数の回答者から、「フィット感が好適で、疲労回復感又は疲労軽減感を感じ、足の浮腫みもかなり軽減された」との回答を得ることができた。
特に、第１箇所における締付圧力を２５ｈＰａ、第２箇所における締付圧力を１９ｈＰａ、第３箇所における締付圧力を１６ｈＰａ、第４箇所における締付圧力を１５ｈＰａに設定した構成の靴下に関して、ほとんどの回答者から、「フィット感が最適で、疲労回復感又は疲労軽減感を最も感じ、足の浮腫みも大幅に軽減された」との回答を得ることができた。
つまり、この構成であれば、フィット感、疲労回復又は疲労軽減、及び、足の浮腫み抑制において、最適な靴下にすることができる。
【００１０】
本発明の第３特徴構成は、第２特徴構成の実施において好適な構成であり、その特徴は、
前記第１箇所が、靴下の土踏まず部から足首部に亘る範囲の位置である点にある。
【００１１】
つまり、この構成であれば、足・脚に対して良好なフィット感、疲労回復又は疲労軽減、及び、足の浮腫み抑制を付与する締付圧力に設定されてある靴下において、例えば、締付圧力の強い第１箇所が靴下の土踏まず部であると、足の動きに対応して土踏まず部が伸縮し、その土踏まず部の伸縮が足の土踏まずに対するマッサージ作用となり、足の血行促進効果を奏するので、足の疲労を軽減又は回復させることができる。
また、例えば、土踏まず部から足首部に亘る範囲の締付圧力が一定圧力に設定されていると、足首において血行を妨げることないので、足の疲労を軽減するだけでなく、足の浮腫みも抑制することもできる。
【発明を実施するための最良の形態】
【００１２】
図１は、本発明の実施形態であるスポーツ用（特に、野球用）の長尺の靴下Ｓを示し、競技時に最も負担がかかり、破れやすいつま先部１と踵部２をパイル編みで形成することで厚みを出して破れにくくし、靴下Ｓの強度を向上させてあるとともに、他の部分はタイツやストッキング等に用いられるインレイドホップサック編みで形成することで、競技中における靴下Ｓのズレを抑制するように構成されている。
【００１３】
靴下Ｓの長さは踵部２から足挿入開口Ｍまで４６ｃｍに形成されていて、足挿入開口Ｍから下３ｃｍ幅を足挿入開口Ｍを形成する上端部３とするとともに、上端部３にはゴム糸等の弾性糸が編みこまれてあるので、足挿入開口Ｍを容易に大きく開くことができ、よって、容易に足・脚を靴下Ｓ内に挿入でき、着用することができる。
【００１４】
靴下Ｓは足底から足挿入開口Ｍを形成する上端部３にかけて、足・脚に対する締付圧力が強から弱に連続的に変化するように形成されている。
詳しくは、靴下Ｓの土踏まず部４から足首部５に亘る部分は一定の締付圧力に設定されており、足首部５から上端部３までの間において締付圧力が連続的に変化している構成になっている。
【００１５】
靴下Ｓにおける締付圧力を測定する各箇所について、最も下方に位置する第１箇所Ｐ１は靴下Ｓの足首部５に、最も上方に位置する第４箇所Ｐ４は靴下Ｓの脹脛上部８に、第２箇所Ｐ２は靴下Ｓの脹脛下部６に、第３箇所Ｐ３は、靴下Ｓの脹脛中部７にそれぞれ相当して位置している。詳しくは、第１箇所Ｐ１（足首部５）が靴下Ｓの踵部２から１２ｃｍの位置、第２箇所Ｐ２（脹脛下部６）が靴下Ｓの踵部２から２０ｃｍの位置、第３箇所Ｐ３（脹脛中部７）が靴下Ｓの踵部２から３１ｃｍの位置、第４箇所Ｐ４（脹脛上部８）が靴下Ｓの踵部２から３９ｃｍの位置に設定してある。
【００１６】
そして、各箇所における締付圧力を最適なものにするために、複数の野球選手に着用してもらい、疲労回復感又は疲労軽減感とフィット感に関して、３回のモニタリング調査を行った。
なお、モニタリング調査に使用する締付圧力の設定が異なる３つの靴下Ｓの仕様においては、つま先部１、土踏まず部３、足首部５、脹脛下部６、脹脛中部７、脹脛上部８及び上端部における身幅が全て同一のものを使用している。
【００１７】
第１回目として、各箇所における締付圧力を、第１箇所Ｐ１を３５ｈＰａ、第２箇所Ｐ２を２５ｈＰａ、第３箇所Ｐ３を２２ｈＰａ、第４箇所Ｐ４を１９ｈＰａに設定して形成した野球用の靴下Ｓをプロ野球選手１０名に着用してもらったところ、〔表１〕に示すように、疲労回復感又は疲労軽減感について、以下『全く無い』、『無い』、『わからない』、『少し感じる』、『感じる』のいずれかの選択回答を得たところ、『無い』が４名、『わからない』が６名との結果が出た。
同じく、フィット感について、『キツイ』、『ややキツイ』、『丁度良い』、『ややゆるい』、『ゆるい』の選択回答を得たところ、『キツイ』が２名、『ややキツイ』が７名、『丁度良い』が１名との結果が出た。
【００１８】
【表１】
2005240222.tif 000003
【００１９】
次に、第２回目として、各箇所における締付圧力を、第１箇所Ｐ１を２０ｈＰａ、第２箇所Ｐ２を１５ｈＰａ、第３箇所Ｐ３を１３ｈＰａ、第４箇所Ｐ４を１１ｈＰａに設定して形成した野球用の靴下Ｓを高等学校及び大学の野球部員３０名に着用してもらったところ、〔表２〕に示すように、疲労回復感又は疲労軽減感について、『無い』が１２名、『わからない』が８名、『少し感じる』が１０名との結果を得た。
そして、フィット感については、『丁度良い』が１０名、『ややゆるい』が１５名、『ゆるい』が５名との結果を得た。
【００２０】
【表２】
2005240222.tif 000004
【００２１】
更に、第３回目として、各箇所における締付圧力を、第１箇所Ｐ１を２５ｈＰａ、第２箇所Ｐ２を１９ｈＰａ、第３箇所Ｐ３を１６ｈＰａ、第４箇所Ｐ４を１５ｈＰａに設定して形成した野球用の靴下Ｓをプロ野球選手１０名に着用してもらったところ、〔表３〕に示すように、疲労回復感又は疲労軽減感について、『わからない』が４名、『少し感じる』が３名、『感じる』が３名との結果を得ることができた。
そして、フィット感については、『丁度良い』に１０名全てが回答するといった結果を得ることができた。
【００２２】
【表３】
2005240222.tif 000005
【００２３】
以上の結果によると、靴下において、フィット感、疲労回復又は疲労軽減を感じる各箇所における締付圧力は、第１箇所Ｐ１が２０ｈＰａ〜３０ｈＰａ、第２箇所Ｐ２が１５ｈＰａ〜２３ｈＰａ、第３箇所Ｐ３が１３ｈＰａ〜１９ｈＰａ、第４箇所Ｐ４が１１ｈＰａ〜１８ｈＰａであると推測され、そしてまた、これらモニタリング調査の結果に基づくに、フィット感、疲労回復又は疲労軽減を感じる最適な各箇所における締付圧力は、第１箇所Ｐ１が２４ｈＰａ〜２６ｈＰａ、第２箇所Ｐ２が１８ｈＰａ〜２０ｈＰａ、第３箇所Ｐ３が１５ｈＰａ〜１７ｈＰａ、第４箇所Ｐ４が１４ｈＰａ〜１６ｈＰａであると推測される。
【００２４】
特に、各箇所における締付圧力が、第１箇所Ｐ１が２５ｈＰａ、第２箇所Ｐ２が１９ｈＰａ、第３箇所Ｐ３が１６ｈＰａ、第４箇所Ｐ４が１５ｈＰａとなるように設定され形成されている靴下が最もフィット感、及び、疲労回復又は疲労軽減を感じる最適な締付圧力設定であると言える。
【００２５】
靴下Ｓは円周２００本の針数の編み機で製作されており、編み機の針数は糸の太さ及び靴下の厚みに関係し、針数が多くなるに連れ使用する糸が細くなり、針数の多い編み機で製作できる靴下は薄手もの（例えば、紳士用靴下）となる。反対に針数が少なくなるに連れ使用する糸が太くなるので、針数の少ない編み機で製作できる靴下は厚手のもの（例えば、スキー用靴下）となる。
そして、前述した疲労回復感又は疲労軽減感とフィット感に関するモニタリング調査時に、靴下Ｓの厚みに関して着用者に意見を聞いたところ、２４０本の針数で編んだものでは薄すぎて破れやすい、１４４本の針数で編んだものは編み目が粗く、地肌が見えてしまうという問題があるとの意見があったため、これらを考慮して、２００本の針数で編んだところ、丁度良い厚さであるとの回答を得ることができた。
【００２６】
また、前述したように靴下Ｓの長さは４６ｃｍに形成されているが、この点についても、疲労回復感又は疲労軽減感とフィット感に関するモニタリング調査時に、靴下Ｓの長さに関して着用者に意見を聞いたところ、野球用の靴下Ｓの場合、靴下Ｓの上端部３を折り返して着用する選手が多いため、長さ４０ｃｍの靴下ではやや短いとの意見があり、それを考慮して靴下Ｓの長さを４６ｃｍにしたところ、丁度良い長さであるとの回答を得ることができた。
〔別実施形態〕
【００２７】
上述の実施形態では、本発明の実施形態として、スポーツ用の長尺の靴下Ｓを一例としてあげたがこれに限るものではなく、一般の紳士・婦人用靴下、子供用靴下、婦人用ストッキング、タイツ等種々のものであってよい。
【００２８】
また、靴下Ｓの長さも４６ｃｍのものに限るものではなく、種々の長さのものに採用できる。
【００２９】
上述の実施形態では、靴下Ｓの足・脚に対する締付圧力を足底から足挿入開口Ｍを形成する上端部３にかけて強から弱に連続的に変化するように形成したが、各箇所の締付圧力が第１箇所Ｐ１＞第２箇所Ｐ２＞第３箇所＞第４箇所Ｐ４の構成であれば、締付圧力の変化は段階的に変化するものであってもよい。
【００３０】
上述の実施形態におけるスポーツ用靴下Ｓでは、つま先部１と踵部２とをパイル編み形成し厚みを出して破れ難くするとともに、他の部分をレイドインホップサック編みで形成して靴下Ｓのズレを抑制する構成にしてあったが、一般の靴下等においてはこの構成を採用する必要はなく、種々の編み方で形成してもよい。
【００３１】
編み機の針数は、２００本に限るものではなく、靴下の用途に合わせた任意の数でよい。
【産業上の利用可能性】
【００３２】
本発明は、特に、野球、サッカー、ラグビー等のスポーツ競技における靴下Ｓに採用されるほか、一般の紳士・婦人用靴下、子供用靴下、婦人用ストッキング、タイツなどにも採用することができる。
【図面の簡単な説明】
【００３３】
【図１】本発明の実施形態を示すスポーツ用の長尺の靴下の図
【符号の説明】
【００３４】
３      上端部
４      土踏まず部
５      足首部
Ｍ      足挿入開口
Ｐ１    第１箇所
Ｐ２    第２箇所
Ｐ３    第３箇所
Ｐ４    第４箇所
Ｓ      靴下
【図１】
2005240222.tif 000006